(57)【要約】      （修正有）【課題】  伝送環境に応じた最適な伝送効率で無線通信を行える基地局、移動機及び再送制御方法を提供する。【解決手段】  無線通信相手である移動機２から通知される上り制御チャネルの復調結果を基に通信品質情報を復号し、上り制御チャネルの復調結果を基に、確認応答及び否定応答のいずれが受信状態情報として移動機から通知されたのかを判定し、新規データを送信するか送信済みデータを再送信するかを決定し、送信データの選択、分割及び合成を行うと共に、直近の複数フレームに亘る通信品質情報の変動を基に、データを送信又は再送信する時刻における移動機の受信状況での通信品質情報を予測し、予測値に基づいて無線信号を送信するための変動条件である送信パラメータを選択し、送信データの符号化及び変調を行い、データチャネルとして制御信号を符号化及び変調して下り制御チャネルとして移動機へ送信する。【選択図】  図１
2007006231.tif 000002
【特許請求の範囲】
【請求項１】
移動機から通知される受信状態情報及び通信品質情報に基づいて次のデータを送信する基地局であって、
無線通信相手である移動機から通知される上り制御チャネルを復調するＣＣＨ復調手段と、
前記上り制御チャネルの復調結果を基に前記通信品質情報を復号するＣＱＩ復号手段と、
前記上り制御チャネルの復調結果を基に、確認応答及び否定応答のいずれが前記受信状態情報として前記移動機から通知されたのかを判定するＡＣＫ／ＮＡＣＫ判定手段と、
新規データを送信するか送信済みデータを再送信するかを前記ＡＣＫ／ＮＡＣＫ判定手段による判定結果に基づいて決定する送信データ決定手段と、
前記送信データ決定手段の決定に応じて、送信データの選択、分割及び合成を行う送信制御手段と、
直近の複数フレームに亘る前記通信品質情報の変動を基に、データを送信又は再送信する時刻における前記移動機の受信状況での通信品質情報を予測し、予測値に基づいて無線信号を送信するための変動条件である送信パラメータを選択する送信パラメータ選択手段と、
前記送信データの符号化及び変調を行い、データチャネルとして前記移動機へ送信するＤＣＨ送信手段と、
制御信号を符号化及び変調して下り制御チャネルとして前記移動機へ送信するＣＣＨ送信手段とを有することを特徴とする基地局。
【請求項２】
前記通信品質情報は通信品質を数値で表し、その変動が所定量以上の場合には、前記送信パラメータ選択手段が移動機の受信状況を予測するために用いるフレームの数を、前記通信品質情報の変動が所定量未満の場合よりも少なくすることを特徴とする請求項１記載の基地局。
【請求項３】
前記通信品質情報は通信品質を数値で表し、その変動が所定量以上の場合には、前記送信パラメータ選択手段が誤り発生率がより低くなる送信パラメータを選択するためのしきい値として用いる前記通信品質情報の値を、前記通信品質情報の変動が所定量未満の場合よりも大きくすることを特徴とする請求項１又は２記載の基地局。
【請求項４】
前記送信パラメータ選択手段は、データを再送信する際には、前回までのデータ送信時の受信状態情報及び通信品質情報に基づいて、再送信に必要な伝送条件を推定し、これを基に前記送信パラメータを選択することを特徴とする請求項１記載の基地局。
【請求項５】
前記送信制御手段は、任意のフレームのデータを再送信する際に、１フレームで伝送できるデータ量が初送時よりも減少している場合には、前記任意のフレームのデータのうち一部分のみを再送信することを特徴とする請求項１から４のいずれか１項記載の基地局。
【請求項６】
移動機から通知される受信状態情報及び通信品質情報に基づいて次のデータを送信する基地局であって、
無線通信相手である移動機から通知される上り制御チャネルを復調するＣＣＨ復調手段と、
前記上り制御チャネルの復調結果を基に前記通信品質情報を復号するＣＱＩ復号手段と、
前記上り制御チャネルの復調結果を基に、確認応答及び否定応答のいずれが前記受信状態情報として前記移動機から通知されたのかを判定するＡＣＫ／ＮＡＣＫ判定手段と、
新規データを送信するか送信済みデータを再送信するかを前記ＡＣＫ／ＮＡＣＫ判定手段による判定結果に基づいて決定する送信データ決定手段と、
前記送信データ決定手段の決定に応じて、送信データの選択、分割及び合成を行う送信制御手段と、
前記通信品質情報に基づいて、無線信号を送信するための変動条件である送信パラメータを選択する送信パラメータ選択手段と、
前記送信データの符号化及び変調を行い、データチャネルとして前記移動機へ送信するＤＣＨ送信手段と、
制御信号を符号化及び変調して下り制御チャネルとして前記移動機へ送信するＣＣＨ送信手段とを有し、
前記送信制御手段は、任意のフレームのデータを再送信する際に、１フレームで伝送できるデータ量が初送時よりも減少している場合には、前記任意のフレームのデータのうち一部分のみを再送信することを特徴とする基地局。
【請求項７】
前記送信制御手段は、前記任意のフレームのデータのうち一部分を再送したフレームの次フレーム以降に、前記任意のフレームのデータの残りの部分を再送信することを特徴とする請求項５又は６記載の基地局。
【請求項８】
前記送信制御手段は、任意のフレームのデータを再送信する際に、１フレームで伝送できるデータ量が初送時よりも増加している場合には、前記任意のフレームのデータとともに他のフレームの再送信すべきデータの少なくとも一部又は初送のデータを送信することを特徴とする請求項１から７のいずれか１項記載の基地局。
【請求項９】
前記送信制御手段は、再送信すべきデータの量が所定のデータ量に達した際に、該データを再送信することを特徴とする請求項１から８のいずれか１項記載の基地局。
【請求項１０】
前記送信制御手段は、再送信すべきデータの量が所定のデータ量に達する前に、所定の時間が経過した場合には、該データを再送信することを特徴とする請求項９記載の基地局。
【請求項１１】
無線通信相手である基地局から送信されてきたデータチャネルを復調するＤＣＨ復調手段と、
前記基地局から送信されてきた下り制御チャネルを復調するＣＣＨ復調手段と、
前記データチャネル及び前記下り制御チャネルの復調結果に応じて、前記基地局に対して確認応答及び否定応答のいずれを通信状態情報として返信するかを選択するＡＣＫ／ＮＡＣＫ選択手段と、
直近の複数フレームの前記受信状態情報の変動を基に、前記基地局がデータを送信する時刻における受信状態情報を予測し、予測した受信状態情報に基づいて、前記基地局が無線信号を送信する際の変動条件である送信パラメータを決定するために用いる要求コマンドを生成する要求コマンド生成手段と、
前記受信状態情報と前記要求コマンドとを含んだ情報を符号化及び変調して、上り制御チャネルとして送信するＣＣＨ送信手段とを有することを特徴とする移動機。
【請求項１２】
前記受信状態情報は前記無線信号の受信状態を数値で表し、その変動が所定量以上の場合には、前記要求コマンド生成手段が前記受信状況を予測するために用いるフレームの数を、前記受信状態情報の変動が所定量未満の場合よりも少なくすることを特徴とする請求項１１記載の移動機。
【請求項１３】
前記受信状態情報は前記無線信号の受信状態を数値で表し、その変動が所定量以上の場合には、前記要求コマンド生成手段が誤り発生率がより低い変調方式への切り換えを前記基地局に要求する基準として用いる前記受信状態情報のしきい値を、前記受信状態情報の変動が所定量未満の場合よりも大きくすることを特徴とする請求項１１又は１２記載の移動機。
【請求項１４】
前記要求コマンド生成手段は、否定応答を前記基地局へ返信する場合には、前回までのデータ受信時の前記受信状態情報及び通信品質情報に基づいて前記要求コマンドを生成することを特徴とする請求項１１から１３のいずれか１項記載の移動機。
【請求項１５】
移動機から通知されるデータの受信状態情報及び通信品質情報に基づいて次のデータを送信する基地局での再送制御方法であって、
無線通信相手である移動機から通知される上り制御チャネルを復調するＣＣＨ復調工程と、
前記上り制御チャネルの復調結果を基に前記通信品質情報を復号するＣＱＩ復号工程と、
前記上り制御チャネルの復調結果を基に、確認応答及び否定応答のいずれが前記受信状態情報として前記移動機から通知されたのかを判定するＡＣＫ／ＮＡＣＫ判定工程と、
新規データを送信するか送信済みデータを再送信するかを前記ＡＣＫ／ＮＡＣＫ判定手段による判定結果に基づいて決定する送信データ決定工程と、
前記送信データ決定工程での決定に応じて、送信データの選択、分割及び合成を行う送信制御工程と、
直近の複数フレームに亘る前記通信品質情報の変動を基に、データを送信又は再送信する時刻における前記移動機の受信状況での通信品質情報を予測し、予測値に基づいて無線信号を送信するための変動条件である送信パラメータを選択する送信パラメータ選択工程と、
前記送信データの符号化及び変調を行い、データチャネルとして前記移動機へ送信するＤＣＨ送信工程と、
制御信号を符号化及び変調して下り制御チャネルとして前記移動機へ送信するＣＣＨ送信工程とを有することを特徴とする再送制御方法。
【請求項１６】
前記通信品質情報は通信品質を数値で表し、その変動が所定量以上の場合には、前記送信パラメータ選択工程において移動機の受信状況を予測するために用いるフレームの数を、前記通信品質情報の変動が所定量未満の場合よりも少なくすることを特徴とする請求項１５記載の再送制御方法。
【請求項１７】
前記通信品質情報は通信品質を数値で表し、その変動が所定量以上の場合には、前記送信パラメータ選択工程において誤り発生率がより低くなる送信パラメータを選択するためのしきい値として用いる前記通信品質情報の値を、前記通信品質情報の変動が所定量未満の場合よりも大きくすることを特徴とする請求項１５又は１６記載の再送制御方法。
【請求項１８】
前記送信パラメータ選択工程においては、データを再送信する際には、前回までのデータ送信時の受信状態情報及び通信品質情報に基づいて、再送信に必要な伝送条件を推定し、これを基に前記送信パラメータを選択することを特徴とする請求項１５から１７のいずれか１項記載の再送制御方法。
【請求項１９】
前記送信制御工程においては、任意のフレームのデータを再送信する際に、１フレームで伝送できるデータ量が初送時よりも減少している場合には、前記任意のフレームのデータのうち一部分のみを送信データとすることを特徴とする請求項１５から１８のいずれか１項記載の再送制御方法。
【請求項２０】
移動機から通知されるデータの受信状態情報及び通信品質情報に基づいて次のデータを送信する基地局での再送制御方法であって、
移動機から通知される受信状態情報及び通信品質情報に基づいて次のデータを送信する基地局であって、
無線通信相手である移動機から通知される上り制御チャネルを復調するＣＣＨ復調工程と、
前記上り制御チャネルの復調結果を基に前記通信品質情報を復号するＣＱＩ復号工程と、
前記上り制御チャネルの復調結果を基に、確認応答及び否定応答のいずれが前記受信状態情報として前記移動機から通知されたのかを判定するＡＣＫ／ＮＡＣＫ判定工程と、
新規データを送信するか送信済みデータを再送信するかを前記ＡＣＫ／ＮＡＣＫ判定手段による判定結果に基づいて決定する送信データ決定工程と、
前記送信データ決定手段の決定に応じて、送信データの選択、分割及び合成を行う送信制御工程と、
前記通信品質情報に基づいて、無線信号を送信するための変動条件である送信パラメータを選択する送信パラメータ選択工程と、
前記送信データの符号化及び変調を行い、データチャネルとして前記移動機へ送信するＤＣＨ送信工程と、
制御信号を符号化及び変調して下り制御チャネルとして前記移動機へ送信するＣＣＨ送信工程とを有し、
前記送信制御工程においては、任意のフレームのデータを再送信する際に、１フレームで伝送できるデータ量が初送時よりも減少している場合には、前記任意のフレームのデータのうち一部分のみを送信データとすることを特徴とする再送制御方法。
【請求項２１】
前記送信制御工程においては、前記任意のフレームのデータのうち一部分を送信データしたフレームの次フレーム以降に、前記任意のフレームのデータの残りの部分を送信データとすることを特徴とする請求項１９又は２０記載の再送制御方法。
【請求項２２】
前記送信制御工程においては、任意のフレームのデータを再送信する際に、１フレームで伝送できるデータ量が初送時よりも増加している場合には、前記任意のフレームのデータとともに他のフレームの再送信すべきデータの少なくとも一部又は初送のデータを送信データとすることを特徴とする請求項１５から２１のいずれか１項記載の再送制御方法。
【請求項２３】
前記送信制御工程においては、再送信すべきデータの量が所定のデータ量に達した際に、該データを送信データとすることを特徴とする請求項１５から２２のいずれか１項記載の再送制御方法。
【請求項２４】
前記送信制御工程においては、再送信すべきデータの量が所定のデータ量に達する前に、所定の時間が経過した場合には、該データを送信データとすることを特徴とする請求項２３記載の再送制御方法。
【請求項２５】
自機での無線信号の受信状態情報に基づいた条件での無線信号の送信を基地局基地局に要求する移動機における再送制御方法であって、
無線通信相手である基地局から送信されてきたデータチャネルを復調するＤＣＨ復調工程と、
前記基地局から送信されてきた下り制御チャネルを復調するＣＣＨ復調工程と、
前記データチャネル及び前記下り制御チャネルの復調結果に応じて、前記基地局に対して確認応答及び否定応答のいずれを通信状態情報として返信するかを選択するＡＣＫ／ＮＡＣＫ選択工程と、
直近の複数フレームの前記受信状態情報の変動を基に、前記基地局がデータを送信する時刻における受信状態情報を予測し、予測した受信状態情報に基づいて、前記基地局が無線信号を送信する際の変動条件である送信パラメータを決定するために用いる要求コマンドを生成する要求コマンド生成工程と、
前記受信状態情報と前記要求コマンドとを含んだ情報を符号化及び変調して、上り制御チャネルとして送信するＣＣＨ送信工程とを有することを特徴とする再送制御方法。
【請求項２６】
前記受信状態情報は前記無線信号の受信状態を数値で表し、その変動が所定量以上の場合には、前記要求コマンド生成工程において前記受信状況を予測するために用いるフレームの数を、前記受信状態情報の変動が所定量未満の場合よりも少なくすることを特徴とする請求項２５記載の再送制御方法。
【請求項２７】
前記受信状態情報は前記無線信号の受信状態を数値で表し、その変動が所定量以上の場合には、前記要求コマンド生成工程において誤り発生率がより低い変調方式への切り換えを前記基地局に要求する基準として用いる前記受信状態情報のしきい値を、前記受信状態情報の変動が所定量未満の場合よりも大きくすることを特徴とする請求項２５又は２６記載の再送制御方法。
【請求項２８】
前記要求コマンド生成工程においては、否定応答を前記基地局へ返信する場合には、前回までのデータ受信時の前記受信状態情報及び通信品質情報に基づいて前記要求コマンドを生成することを特徴とする請求項２５から２７のいずれか１項記載の再送制御方法。
【請求項２９】
無線通信相手である基地局から送信されてきたデータチャネルを復調するＤＣＨ復調工程と、
前記基地局から送信されてきた下り制御チャネルを復調するＣＣＨ復調工程と、
前記データチャネル及び前記下り制御チャネルの復調結果に応じて、前記基地局に対して確認応答及び否定応答のいずれを返信するかを選択するＡＣＫ／ＮＡＣＫ選択工程と、
前記データチャネル及び前記下り制御チャネルの復調結果に応じた前記受信状態情報に基づいて、前記基地局が無線信号を送信する際の変動条件である送信パラメータを決定するために用いる要求コマンドを生成する要求コマンド生成工程と、
前記確認応答又は受信応答と前記要求コマンドとを含んだ情報を符号化及び変調して、上り制御チャネルとして送信するＣＣＨ送信工程とを有し、
前記要求コマンド生成工程においては、直近の複数フレームの通信品質情報の変動を基にデータを送信する時間の受信状況を予測し、予測値に基づいて決定した送信パラメータに応じた要求コマンドを生成することを特徴とする再送制御方法。
【請求項３０】
前記受信状態情報は前記無線信号の受信状態を数値で表し、その変動が所定量以上の場合には、前記受信状況を予測するために用いるフレームの数を、前記受信状態情報の変動が所定量未満の場合よりも少なくすることを特徴とする請求項２９記載の再送制御方法。
【請求項３１】
前記受信状態情報は前記無線信号の受信状態を数値で表し、その変動が所定量以上の場合には、誤り発生率がより低い変調方式へと切り換える基準として用いる前記受信状態情報のしきい値を、前記受信状態情報の変動が所定量未満の場合よりも大きくすることを特徴とする請求項３０記載の再送制御方法。
【請求項３２】
前記要求コマンド生成工程においてが決定すべき前記送信パラメータと前記受信状態情報との関係が予め定められており、データを再送信する際には、前回までのデータ受信時の前記受信状態情報に加えて通信品質情報にも基づいて前記要求コマンドを生成することを特徴とする請求項３０記載の再送制御方法。
【発明の詳細な説明】
【技術分野】
【０００１】
本発明は、移動通信システム、構内無線通信システム、又は無線ＬＡＮシステムなどの無線通信システムに用いられる基地局、移動機及び再送制御方法に関し、特に、無線通信装置間のデータ伝送を行うのに適した最適な変調方式を選択する適応制御方法及びデータ伝送失敗の際に行う再送制御方法に関する。
【背景技術】
【０００２】
基地局と移動機とのデータ通信（例えば、ＨＳＤＰＡ：High Speed Downlink Packet Access）においては、ＡＭＣ（Adaptive Modulation and Coding）機能、ＨＡＲＱ（Hybrid Automatic Repeat reQuest）機能が用いられている。これらの機能を実現するため、基地局と移動機とのデータ通信の場合には、移動機から基地局へ伝送する上り制御チャネル（ＣＣＨ：Control Channel）と、基地局から移動機へ伝送するデータチャネル（ＤＣＨ：Data CHannel）及び下り制御チャネル（ＣＣＨ：Control CHannel）が用意されている。
【０００３】
上り制御チャネルでは、移動機からの受信状態情報（ＡＣＫ（ACKnowledgement：確認応答）／ＮＡＣＫ（Negative ACKnowledgement：否定応答））、通信品質の情報（ＣＱＩ：Channel Quality Indicator）が伝送される。移動機は、受け取ったデータの受信状況を基地局に伝える。例えば、移動機は正常に受信できた場合には基地局へＡＣＫを返し、正常に受信できなかった場合には基地局へＮＡＣＫを返す。移動機は、基地局へＮＡＣＫを返信することにより、データの再送を基地局に要求する。また、移動機は、通信品質に関する情報（ＣＱＩ）として、例えば、受信ＳＩＲの値や受信エラー率を基地局へ伝送する。
【０００４】
基地局は、上り制御チャネルで移動機からＡＣＫが返送された場合は次のデータの送信を行い、ＮＡＣＫが返送された場合には再送を行う。基地局は、新規データの初送の場合には、上り制御チャネルのＣＱＩを基に、符号化率、拡散率、コード多重数、使用帯域、符号化方法など送信パラメータを決定し、再送の場合には、初送時と同じ送信パラメータで送信を行う。下り制御チャネルでは、初送であるか再送であるかの別や送信パラメータの情報を伝送する。
【０００５】
移動機は、下り制御チャネルの情報を基に受信を行い、再送時には前回までのデータと再送データとを合成することによって受信性能を向上させている。
【０００６】
しかしながら、上記従来の通信方法では、送信したデータが正常に受信されず、受信側のＮＡＣＫ応答によって再送を要求された場合、通信環境にかかわらず初送と同じ送信パラメータ（符号化率、拡散率、コード多重数、使用帯域、符号化方法など）で再送が行われる。そのため、伝搬環境が初送時よりも劣化した場合であっても、初送時と同一の送信パラメータで再送が繰り返されることとなり、伝搬環境が回復するまで受信側において正常に受信することができないという問題があった。
【０００７】
また、初送時よりも伝搬環境が好転した場合は、伝搬環境的には初送時よりも大きなデータサイズの送信が可能となるにも関わらず初送時と同一の送信パラメータで再送が行われることとなり、無線の伝送効率上無駄が生じるという問題があった。
【０００８】
このような問題を解決するための従来技術として、特許文献１に開示される「基地局および通信方法」がある。
特許文献１に開示される発明は、伝搬環境に応じた適切な再送を行うことにより、より高い伝送効率を実現可能な基地局及び通信方法を提供するものである。
【特許文献１】特開２００４−３４９８８４号公報
【発明の開示】
【発明が解決しようとする課題】
【０００９】
しかし、特許文献１に開示される発明では、基地局は移動局から受信した受信状態情報及び通信品質情報に基づいてデータ再送値の送信データサイズ及び変調方式を適応的に更新させているが、移動局において受信状態情報や通信品質情報を生成してから、これらの情報に応じた条件で基地局がデータを再送するまでに、伝送環境が変化する可能性がある。
このような場合には、特許文献１に開示される発明は、必ずしも伝送環境に応じた最適な伝送効率で無線通信を行えないこととなる。
【００１０】
本発明はかかる問題に鑑みてなされたものであり、伝送環境に応じた最適な伝送効率で無線通信を行える基地局、移動機及び再送制御方法を提供することを目的とする。
【課題を解決するための手段】
【００１１】
上記目的を達成するため、本発明は、第１の態様として、移動機から通知される受信状態情報及び通信品質情報に基づいて次のデータを送信する基地局であって、無線通信相手である移動機から通知される上り制御チャネルを復調するＣＣＨ復調手段と、上り制御チャネルの復調結果を基に通信品質情報を復号するＣＱＩ復号手段と、上り制御チャネルの復調結果を基に、確認応答及び否定応答のいずれが受信状態情報として移動機から通知されたのかを判定するＡＣＫ／ＮＡＣＫ判定手段と、新規データを送信するか送信済みデータを再送信するかをＡＣＫ／ＮＡＣＫ判定手段による判定結果に基づいて決定する送信データ決定手段と、送信データ決定手段の決定に応じて、送信データの選択、分割及び合成を行う送信制御手段と、直近の複数フレームに亘る通信品質情報の変動を基に、データを送信又は再送信する時刻における移動機の受信状況での通信品質情報を予測し、予測値に基づいて無線信号を送信するための変動条件である送信パラメータを選択する送信パラメータ選択手段と、送信データの符号化及び変調を行い、データチャネルとして移動機へ送信するＤＣＨ送信手段と、制御信号を符号化及び変調して下り制御チャネルとして移動機へ送信するＣＣＨ送信手段とを有することを特徴とする基地局を提供するものである。
【００１２】
本発明の第１の態様においては、通信品質情報は通信品質を数値で表し、その変動が所定量以上の場合には、送信パラメータ選択手段が移動機の受信状況を予測するために用いるフレームの数を、通信品質情報の変動が所定量未満の場合よりも少なくすることが好ましい。また、通信品質情報は通信品質を数値で表し、その変動が所定量以上の場合には、送信パラメータ選択手段が誤り発生率がより低くなる送信パラメータを選択するためのしきい値として用いる通信品質情報の値を、通信品質情報の変動が所定量未満の場合よりも大きくすることが好ましい。
又は、本発明の第１の態様においては、送信パラメータ選択手段は、データを再送信する際には、前回までのデータ送信時の受信状態情報及び通信品質情報に基づいて、再送信に必要な伝送条件を推定し、これを基に送信パラメータを選択することが好ましい。
【００１３】
本発明の第１の態様の上記のいずれの構成においても、送信制御手段は、任意のフレームのデータを再送信する際に、１フレームで伝送できるデータ量が初送時よりも減少している場合には、任意のフレームのデータのうち一部分のみを再送信することが好ましい。これに加えて、送信制御手段は、任意のフレームのデータのうち一部分を再送したフレームの次フレーム以降に、任意のフレームのデータの残りの部分を再送信することが好ましい。
【００１４】
また、上記目的を達成するため、本発明は、第２の態様として、移動機から通知される受信状態情報及び通信品質情報に基づいて次のデータを送信する基地局であって、無線通信相手である移動機から通知される上り制御チャネルを復調するＣＣＨ復調手段と、上り制御チャネルの復調結果を基に通信品質情報を復号するＣＱＩ復号手段と、上り制御チャネルの復調結果を基に、確認応答及び否定応答のいずれが受信状態情報として移動機から通知されたのかを判定するＡＣＫ／ＮＡＣＫ判定手段と、新規データを送信するか送信済みデータを再送信するかをＡＣＫ／ＮＡＣＫ判定手段による判定結果に基づいて決定する送信データ決定手段と、送信データ決定手段の決定に応じて、送信データの選択、分割及び合成を行う送信制御手段と、通信品質情報に基づいて、無線信号を送信するための変動条件である送信パラメータを選択する送信パラメータ選択手段と、送信データの符号化及び変調を行い、データチャネルとして移動機へ送信するＤＣＨ送信手段と、制御信号を符号化及び変調して下り制御チャネルとして移動機へ送信するＣＣＨ送信手段とを有し、送信制御手段は、任意のフレームのデータを再送信する際に、１フレームで伝送できるデータ量が初送時よりも減少している場合には、任意のフレームのデータのうち一部分のみを再送信することを特徴とする基地局を提供するものである。
【００１５】
本発明の第２の態様においては、送信制御手段は、任意のフレームのデータのうち一部分を再送したフレームの次フレーム以降に、任意のフレームのデータの残りの部分を再送信することが好ましい。
【００１６】
本発明の第１の態様又は第２の態様の上記のいずれの構成においても、送信制御手段は、任意のフレームのデータを再送信する際に、１フレームで伝送できるデータ量が初送時よりも増加している場合には、任意のフレームのデータとともに他のフレームの再送信すべきデータの少なくとも一部又は初送のデータを送信することが好ましい。また、送信制御手段は、再送信すべきデータの量が所定のデータ量に達した際に、該データを再送信することが好ましく、これに加えて、送信制御手段は、再送信すべきデータの量が所定のデータ量に達する前に、所定の時間が経過した場合には、該データを再送信することがより好ましい。
【００１７】
また、上記目的を達成するため、本発明は、第３の態様として、無線通信相手である基地局から送信されてきたデータチャネルを復調するＤＣＨ復調手段と、基地局から送信されてきた下り制御チャネルを復調するＣＣＨ復調手段と、データチャネル及び下り制御チャネルの復調結果に応じて、基地局に対して確認応答及び否定応答のいずれを通信状態情報として返信するかを選択するＡＣＫ／ＮＡＣＫ選択手段と、直近の複数フレームの受信状態情報の変動を基に、基地局がデータを送信する時刻における受信状態情報を予測し、予測した受信状態情報に基づいて、基地局が無線信号を送信する際の変動条件である送信パラメータを決定するために用いる要求コマンドを生成する要求コマンド生成手段と、受信状態情報と要求コマンドとを含んだ情報を符号化及び変調して、上り制御チャネルとして送信するＣＣＨ送信手段とを有することを特徴とする移動機を提供するものである。
【００１８】
本発明の第３の態様においては、受信状態情報は無線信号の受信状態を数値で表し、その変動が所定量以上の場合には、要求コマンド生成手段が受信状況を予測するために用いるフレームの数を、受信状態情報の変動が所定量未満の場合よりも少なくすることが好ましい。
【００１９】
本発明の第３の態様の上記のいずれの構成においても、受信状態情報は無線信号の受信状態を数値で表し、その変動が所定量以上の場合には、要求コマンド生成手段が誤り発生率がより低い変調方式への切り換えを基地局に要求する基準として用いる受信状態情報のしきい値を、受信状態情報の変動が所定量未満の場合よりも大きくすることが好ましい。また、要求コマンド生成手段は、否定応答を基地局へ返信する場合には、前回までのデータ受信時の受信状態情報及び通信品質情報に基づいて要求コマンドを生成することが好ましい。
【００２０】
また、上記目的を達成するため、本発明は、第４の態様として、移動機から通知されるデータの受信状態情報及び通信品質情報に基づいて次のデータを送信する基地局での再送制御方法であって、無線通信相手である移動機から通知される上り制御チャネルを復調するＣＣＨ復調工程と、上り制御チャネルの復調結果を基に通信品質情報を復号するＣＱＩ復号工程と、上り制御チャネルの復調結果を基に、確認応答及び否定応答のいずれが受信状態情報として移動機から通知されたのかを判定するＡＣＫ／ＮＡＣＫ判定工程と、新規データを送信するか送信済みデータを再送信するかをＡＣＫ／ＮＡＣＫ判定手段による判定結果に基づいて決定する送信データ決定工程と、送信データ決定工程での決定に応じて、送信データの選択、分割及び合成を行う送信制御工程と、直近の複数フレームに亘る通信品質情報の変動を基に、データを送信又は再送信する時刻における移動機の受信状況での通信品質情報を予測し、予測値に基づいて無線信号を送信するための変動条件である送信パラメータを選択する送信パラメータ選択工程と、送信データの符号化及び変調を行い、データチャネルとして移動機へ送信するＤＣＨ送信工程と、制御信号を符号化及び変調して下り制御チャネルとして移動機へ送信するＣＣＨ送信工程とを有することを特徴とする再送制御方法を提供するものである。
【００２１】
本発明の第４の態様においては、通信品質情報は通信品質を数値で表し、その変動が所定量以上の場合には、送信パラメータ選択工程において移動機の受信状況を予測するために用いるフレームの数を、通信品質情報の変動が所定量未満の場合よりも少なくすることが好ましい。また、通信品質情報は通信品質を数値で表し、その変動が所定量以上の場合には、送信パラメータ選択工程において誤り発生率がより低くなる送信パラメータを選択するためのしきい値として用いる通信品質情報の値を、通信品質情報の変動が所定量未満の場合よりも大きくすることが好ましい。また、送信パラメータ選択工程においては、データを再送信する際には、前回までのデータ送信時の受信状態情報及び通信品質情報に基づいて、再送信に必要な伝送条件を推定し、これを基に送信パラメータを選択することが好ましい。また、送信制御工程においては、任意のフレームのデータを再送信する際に、１フレームで伝送できるデータ量が初送時よりも減少している場合には、任意のフレームのデータのうち一部分のみを送信データとすることが好ましく、これに加えて、送信制御工程においては、任意のフレームのデータのうち一部分を送信データしたフレームの次フレーム以降に、任意のフレームのデータの残りの部分を送信データとすることがより好ましい。
【００２２】
また、上記目的を達成するため、本発明は、第５の態様として、移動機から通知されるデータの受信状態情報及び通信品質情報に基づいて次のデータを送信する基地局での再送制御方法であって、移動機から通知される受信状態情報及び通信品質情報に基づいて次のデータを送信する基地局であって、無線通信相手である移動機から通知される上り制御チャネルを復調するＣＣＨ復調工程と、上り制御チャネルの復調結果を基に通信品質情報を復号するＣＱＩ復号工程と、上り制御チャネルの復調結果を基に、確認応答及び否定応答のいずれが受信状態情報として移動機から通知されたのかを判定するＡＣＫ／ＮＡＣＫ判定工程と、新規データを送信するか送信済みデータを再送信するかをＡＣＫ／ＮＡＣＫ判定手段による判定結果に基づいて決定する送信データ決定工程と、送信データ決定手段の決定に応じて、送信データの選択、分割及び合成を行う送信制御工程と、通信品質情報に基づいて、無線信号を送信するための変動条件である送信パラメータを選択する送信パラメータ選択工程と、送信データの符号化及び変調を行い、データチャネルとして移動機へ送信するＤＣＨ送信工程と、制御信号を符号化及び変調して下り制御チャネルとして移動機へ送信するＣＣＨ送信工程とを有し、送信制御工程においては、任意のフレームのデータを再送信する際に、１フレームで伝送できるデータ量が初送時よりも減少している場合には、任意のフレームのデータのうち一部分のみを送信データとすることを特徴とする再送制御方法を提供するものである。
【００２３】
本発明の第５の態様においては、送信制御工程においては、任意のフレームのデータのうち一部分を送信データしたフレームの次フレーム以降に、任意のフレームのデータの残りの部分を送信データとすることが好ましい。
【００２４】
本発明の第４の態様又は第５の態様のいずれの構成においても、送信制御工程においては、任意のフレームのデータを再送信する際に、１フレームで伝送できるデータ量が初送時よりも増加している場合には、任意のフレームのデータとともに他のフレームの再送信すべきデータの少なくとも一部又は初送のデータを送信データとすることが好ましい。また、送信制御工程においては、再送信すべきデータの量が所定のデータ量に達した際に、該データを送信データとすることが好ましく、これに加えて、送信制御工程においては、再送信すべきデータの量が所定のデータ量に達する前に、所定の時間が経過した場合には、該データを送信データとすることがより好ましい。
【００２５】
また、上記目的を達成するため、本発明は、第６の態様として、自機での無線信号の受信状態情報に基づいた条件での無線信号の送信を基地局基地局に要求する移動機における再送制御方法であって、無線通信相手である基地局から送信されてきたデータチャネルを復調するＤＣＨ復調工程と、基地局から送信されてきた下り制御チャネルを復調するＣＣＨ復調工程と、データチャネル及び下り制御チャネルの復調結果に応じて、基地局に対して確認応答及び否定応答のいずれを通信状態情報として返信するかを選択するＡＣＫ／ＮＡＣＫ選択工程と、直近の複数フレームの受信状態情報の変動を基に、基地局がデータを送信する時刻における受信状態情報を予測し、予測した受信状態情報に基づいて、基地局が無線信号を送信する際の変動条件である送信パラメータを決定するために用いる要求コマンドを生成する要求コマンド生成工程と、受信状態情報と要求コマンドとを含んだ情報を符号化及び変調して、上り制御チャネルとして送信するＣＣＨ送信工程とを有することを特徴とする再送制御方法を提供するものである。
【００２６】
本発明の第６の態様においては、受信状態情報は無線信号の受信状態を数値で表し、その変動が所定量以上の場合には、要求コマンド生成工程において受信状況を予測するために用いるフレームの数を、受信状態情報の変動が所定量未満の場合よりも少なくすることが好ましい。また、受信状態情報は無線信号の受信状態を数値で表し、その変動が所定量以上の場合には、要求コマンド生成工程において誤り発生率がより低い変調方式への切り換えを基地局に要求する基準として用いる受信状態情報のしきい値を、受信状態情報の変動が所定量未満の場合よりも大きくすることが好ましい。また、要求コマンド生成工程においては、否定応答を基地局へ返信する場合には、前回までのデータ受信時の受信状態情報及び通信品質情報に基づいて要求コマンドを生成することが好ましい。
【００２７】
また、上記目的を達成するため、本発明は、第７の態様として、無線通信相手である基地局から送信されてきたデータチャネルを復調するＤＣＨ復調工程と、基地局から送信されてきた下り制御チャネルを復調するＣＣＨ復調工程と、データチャネル及び下り制御チャネルの復調結果に応じて、基地局に対して確認応答及び否定応答のいずれを返信するかを選択するＡＣＫ／ＮＡＣＫ選択工程と、データチャネル及び下り制御チャネルの復調結果に応じた受信状態情報に基づいて、基地局が無線信号を送信する際の変動条件である送信パラメータを決定するために用いる要求コマンドを生成する要求コマンド生成工程と、確認応答又は受信応答と要求コマンドとを含んだ情報を符号化及び変調して、上り制御チネルとして送信するＣＣＨ送信工程とを有し、要求コマンド生成工程においては、直近の複数フレームの通信品質情報の変動を基にデータを送信する時間の受信状況を予測し、予測値に基づいて決定した送信パラメータに応じた要求コマンドを生成することを特徴とする再送制御方法を提供するものである。
【００２８】
本発明の第７の態様においては、受信状態情報は無線信号の受信状態を数値で表し、その変動が所定量以上の場合には、受信状況を予測するために用いるフレームの数を、受信状態情報の変動が所定量未満の場合よりも少なくすることが好ましく、これに加えて、受信状態情報は無線信号の受信状態を数値で表し、その変動が所定量以上の場合には、誤り発生率がより低い変調方式へと切り換える基準として用いる受信状態情報のしきい値を、受信状態情報の変動が所定量未満の場合よりも大きくすることがより好ましい。又は、要求コマンド生成工程においてが決定すべき送信パラメータと受信状態情報との関係が予め定められており、データを再送信する際には、前回までのデータ受信時の受信状態情報に加えて通信品質情報にも基づいて要求コマンドを生成することがより好ましい。
【発明の効果】
【００２９】
本発明によれば、伝送環境に応じた最適な伝送効率で無線通信を行える基地局、移動機及び再送制御方法を提供できる。
【発明を実施するための最良の形態】
【００３０】
〔第１の実施形態〕
本発明を好適に実施した第１の実施形態について説明する。図１に、本実施形態に係る無線通信システムの構成を示す。この無線通信システムは、基地局１と移動機２とを有し、基地局１から移動機２へデータ伝送が行われる。
【００３１】
基地局１は、送信制御部１４、ＤＣＨ送信部１５、ＣＣＨ送信部１６、ＣＣＨ復調部１１、ＡＣＫ／ＮＡＣＫ判定部１２及びＣＱＩ復号部１３を有する。送信制御部１４は、送信パラメータの選択処理の他、送信データ管理、再送管理、新規・再送時のデータ分割・結合などの処理を行う。ＤＣＨ送信部１５は、データを符号化及び変調して、ＤＣＨとして送信する。ＣＣＨ送信部１６は、制御情報を符号化及び変調して、下りＣＣＨを送信する。ＣＣＨ復調部１１は、上りＣＣＨを復調する。ＡＣＫ／ＮＡＣＫ判定部１２は、上りＣＣＨの復調結果に基づいて、移動機２の応答がＡＣＫであるかＮＡＣＫであるかを判定する。ＣＱＩ復号部１３は、上りＣＣＨ復調結果からＣＱＩを復号する。
【００３２】
移動機２は、ＤＣＨ復調部２１、ＣＣＨ復調部２２、受信制御部２３及びＣＣＨ送信部２４を有する。ＤＣＨ復調部２１は、受信したＤＣＨを復調する。ＣＣＨ復調部２２は、下りＣＣＨを復調する。受信制御部２３は、ＤＣＨ及びＣＣＨの復調結果に基づいて正常に受信できたか否かを判定する処理やＣＱＩ生成処理や再送時のデータ合成処理等を行う。ＣＣＨ送信部２４は、ＡＣＫ又はＮＡＣＫを含んだ情報を符号化及び変調を行う。
【００３３】
本実施形態にかかる無線通信システムの動作について説明する。図２に、本実施形態にかかる無線通信システムの動作の流れを示す。
基地局１では、送信制御部１４が通信相手である移動機２への新規データである初送データをＤＣＨ送信部１５へ送る。ＤＣＨ送信部１５は、データの符号化及び変調を行い、その結果をＤＣＨとして送信する。ＣＣＨ送信部１６は、送信データの順番が分かるようにするためのフレーム番号やデータ番号の順序番号、送信パラメータ（ＤＣＨの送信データの変調方式や符号化率、拡散率、コード多重数、使用帯域、符号化方法等）などを含んだ情報を符号化及び変調し、その結果を下りＣＣＨとして送信する。
【００３４】
次に、移動機２では、ＣＣＨ復調部２２が下りＣＣＨ上の信号を復調して順序番号や送信パラメータなどを取得し、これらを用いてＤＣＨ復調部２１がデータを復調する。このとき、受信制御部２３は、受信パラメータをメモリに蓄積しておく。受信制御部２３では、復調後の受信データを用いて正常に受信できているかどうかを判定し、ＡＣＫ及びＮＡＣＫのいずれを返送すべきかを判定・選択する。また、受信制御部２３は、現在の受信状態を基地局へ通知するため、ＣＱＩを生成する。ＣＣＨ送信部２４は、ＡＣＫ又はＮＡＣＫとＣＱＩとを符号化及び変調し、上りＣＣＨとして基地局１へ送信する。
【００３５】
基地局１では、ＣＣＨ復調部１１が上りＣＣＨを復調する。ＡＣＫ／ＮＡＣＫ判定部１２は、復調後の情報に基づいてＡＣＫ及びＮＡＣＫのいずれを受信したのかを判定し、その結果を送信制御部１４へ通知する。また、ＣＱＩ復号部１３は、復調後の情報に基づいてＣＱＩを復号し、その結果を送信制御部１４へ通知する。送信制御部１４は、ＣＱＩ復号部１３から通知された情報を基に下り伝送状態を推定する。また、送信制御部１４は、ＡＣＫ／ＮＡＣＫ判定部１２からの情報に基づいて、新規データを送信するのか再送データを送信するのかを選択する。送信制御部１４はこのようにして新規データを送信するのか伝送に失敗したデータを再送するかに加え、どのような送信パラメータで送信するのかを決定する。
【００３６】
本実施形態にかかる無線通信システムの具体的な動作について例をあげて説明する。
基地局１では、送信制御部１４が通信相手である移動機２への新規データである初送データ０をフレーム０でＤＣＨ送信部１５へ送り、ここでデータの符号化及び変調を行い、その結果をＤＣＨとして送信する。ＣＣＨ送信部１６は、送信データの順番が分かるようにフレーム番号である０やデータ番号である０のいずれか若しくは両方と、送信パラメータとをＣＣＨに含めて符号化及び変調し、その結果を下りＣＣＨとして送信する。
【００３７】
移動機２では、ＣＣＨ復調部２２が下りＣＣＨ上の信号を復調し、順序番号や送信パラメータを取得する。ＤＣＨ復調部２１は、送信パラメータで示された方式でデータを復調する。このとき、受信制御部２３では、順序番号や送信パラメータの情報と共に受信データをメモリに蓄積しておく。受信制御部２３は、復調後の受信データを用いて、正常に受信できているか否かを、受信データに付加してあるパリティやＣＲＣによって判定し、ＡＣＫ／ＮＡＣＫを判定・選択する。また、受信制御部２３は、現在の受信状態を基地局１へ通知するために、受信レベル、受信ＳＩＲ、受信エラー率及びこれらの変動率からＣＱＩを生成する。ここでは、受信ＳＩＲをＣＱＩとして送信する。ＣＣＨ送信部２４では、ＡＣＫ又はＮＡＣＫとＣＱＩとを符号化及び変調し、上りＣＣＨとして送信する。
【００３８】
ＤＣＨの復調には時間がかかるため、ＤＣＨを受信してからＡＣＫ又はＮＡＣＫとＣＱＩとを含んだ上りＣＣＨを送信するまでには時間がかかる。図３に示す例では、データ０は正常に受信できなかったためにＮＡＣＫ情報が選択され、ＣＱＩとともにフレーム２の時間に基地局へ送信されている。フレーム２において移動機２から基地局１へ送信されたＮＡＣＫは、フレーム３において基地局１がフレーム４以降での再送データ・新規データの選択や、伝送条件の決定に用いられる。すなわち、ここに示す例では、基地局１が下りＤＣＨを送信してから、その受信結果に基づいた再送制御がなされるまでに３フレーム分の時間を要する。換言すると、基地局１が下りＤＣＨの受信結果に応じた再送制御を行うのは４フレーム後以降になる。
【００３９】
その後、基地局１では、ＣＣＨ復調部１１が上りＣＣＨを復調し、ＡＣＫ／ＮＡＣＫ判定部１２が復調後の情報に基づいてＡＣＫ及びＮＡＣＫのいずれを受信したのかを判定する。ＡＣＫ／ＮＡＣＫ判定部１２は、その結果を送信制御部１４へ通知する。また、ＣＱＩ復号部１３では、復調後の情報に基づいてＣＱＩを復号し、その結果を送信制御部１４へ通知する。そして、送信制御部１４では、ＣＱＩ送信部１３からの情報を基に下り伝送状態を推定する。また、送信制御部１４は、ＡＣＫ／ＮＡＣＫ判定部１２からの情報に基づいて新規データを送信するのか再送データを送信するのか選択する。このようにして、送信制御部１４は、新規送信であるか再送であるかに加え、送信パラメータを決定する。例えば、移動機２から送られてきた情報がＡＣＫの場合、送信制御部１４は、ＣＱＩを基に判定される送信パラメータに基づいて次の送信データを生成する。
【００４０】
ＣＱＩと選択すべき送信パラメータとの関係は、事前に決定しておく。例えば、図４に示すように、ＣＱＩ（ここでは受信ＳＩＲ）と選択すべき送信パラメータ（ここでは変調方式）との関係を、送信パラメータ選択テーブルとして送信制御部１４に保持させておき、このテーブルを用いて送信パラメータを選択するようにすれば良い。図示する例では、移動機２における受信ＳＩＲが１０ｄＢ未満の場合にはＱＰＳＫ、１０ｄＢ以上１５ｄＢ未満の場合には８ＰＳＫ、１５ｄＢ以上の場合には１６ＱＡＭが選択される。これらのしきい値は、受信ＳＩＲとＡＣＫ／ＮＡＣＫ状況から変化させることも可能である。例えば、受信ＳＩＲが１５．５ｄＢで変調方式として１６ＱＡＭを選択し、１６ＱＡＭでの変調データを送信したところＮＡＣＫが続くようであれば、８ＰＳＫと１６ＱＡＭとのしきい値を１５ｄＢから１６ｄＢへ変更する。ＣＱＩと選択すべき送信パラメータとの関係は、変調方式以外の符号化率、拡散率、コード多重数、使用帯域、符号化方法なども含めて定める。
【００４１】
なお、ＣＱＩは過去（移動機がＤＣＨ及びＣＣＨを受信した時点）の移動機の受信状況を示すため、複数フレームのＣＱＩを補間することによりデータを送信する時間の受信状況を予測し、この予測値を使用することも可能である。
例えば、４フレーム前に受信したＣＱＩ：２０．０、３フレーム前に受信したＣＱＩ：１９．７、２フレーム前に受信したＣＱＩ：１９．５、１フレーム前に受信したＣＱＩ：１９．３、現フレームで受信したＣＱＩ：１９．０のように安定して緩やかに変動している場合（変動が無い場合を含む）には、基地局から移動機へ伝送するタイミングの推定値（２フレーム後とする）は、上記５フレームのデータを基に線形補間することによって１８．５と予測できる。このようにして予測した値を用いて送信パラメータを選択するようにしても良い。
【００４２】
また、ＣＱＩが急激に変化した際には、変化した後のフレームのみでＣＱＩを補間することにより、予測精度が向上する。
例えば、４フレーム前に受信したＣＱＩ：２０．０、３フレーム前に受信したＣＱＩ：１９．７、２フレーム前に受信したＣＱＩ：１４．５、１フレーム前に受信したＣＱＩ：１５．０、現フレームで受信したＣＱＩ：１５．５のように変動した場合は、３フレーム前と２フレーム前との間でＣＱＩが急激に変化している。このような場合には、５フレーム全てのデータは用いず、急激な変化の後の３フレームのデータを線形補間することによって２フレーム後のＣＱＩを１６．５と予測できる。
なお、実際には急激な変動がいつ生じるかを予測することはできないが、受信状況の予測に用いるフレームの数を減らす（現在時から近いフレームのみを選択する）ことによって、上記同様の効果が得られる。
【００４３】
また、データ伝送が常に正常に行われるように、受信ＳＩＲの変動に応じて、変動が大きい時にはしきい値を上げ、変動が小さい時にはしきい値を下げることも可能である。
例えば、変調方式及び符号化率の選択条件が、
ＣＱＩが５未満          ：ＱＰＳＫ  Ｒ＝１／３    ・・・（Ａ）
ＣＱＩが５以上１０未満  ：ＱＰＳＫ  Ｒ＝１／２    ・・・（Ｂ）
ＣＱＩが１０以上１５未満：１６ＱＡＭ  Ｒ＝１／２  ・・・（Ｃ）
ＣＱＩが１５以上        ：１６ＱＡＭ  Ｒ＝３／４  ・・・（Ｄ）
と定められている場合を考える。なお“Ｒ”は符号化率を表す。これらの変調方式及び符号化率の組合せにおいて、伝送路の状態が悪くとも誤りなく伝送できる組合せが（Ａ）であり、以下（Ｂ）、（Ｃ）、（Ｄ）の順に誤りが発生しやすくなる。また、伝送路の状態が良ければ最も多くのデータを伝送できる組合せは（Ｄ）であり、以下（Ｃ）、（Ｂ）、（Ａ）の順に伝送できるデータ量が少なくなる。
ＣＱＩが急激に変動した際というのは、変動が激しい状態であると考えられるため、任意のタイミングにおいてＣＱＩが１１であったため（Ｃ）の伝送条件を選択しても、移動機の受信状況を基地局が取得した時点で伝送路状態が悪化してしまっていて、この伝送条件では伝送できない可能がある。
【００４４】
このような事態が生じることを避けるためには、伝送条件を切り換える基準となるしきい値を大きくすればよい。
例えば、
ＣＱＩが７未満          ：ＱＰＳＫ  Ｒ＝１／３    ・・・（Ａ’）
ＣＱＩが７以上１２未満  ：ＱＰＳＫ  Ｒ＝１／２    ・・・（Ｂ’）
ＣＱＩが１２以上１７未満：１６ＱＡＭ  Ｒ＝１／２  ・・・（Ｃ’）
ＣＱＩが１７以上        ：１６ＱＡＭ  Ｒ＝３／４  ・・・（Ｄ’）
のようにしきい値を変更すれば、ＣＱＩが１１であった場合には変調方式がＱＰＳＫで符号化率が１／２という組合せが選択されることとなり、伝送路の状態が悪化しても誤りが発生しにくくなる。
なお、しきい値を変化させる幅は任意に設定可能である。上記のように、複数のしきい値を一律に同じ値だけ大きくしても良いし、各しきい値で異なる値としても良い。
【００４５】
一方で、移動機２から送られてきた情報がＮＡＣＫの場合は、データを再送する必要があるが、移動機２では前回までのデータと再送データとを合成するため、新規データと比べて、伝送状況が悪くても正常に情報を伝送できる。そのため、新規データ時の送信パラメータ選択テーブルのしきい値を、前回までの伝送時のＣＱＩを用いて前回までの受信ＳＩＲを合成した値の分だけ下げることができる。つまり、データを再送する時には前回までのデータの送信時の受信状態情報及び通信品質情報を考慮して再送時に必要な伝送状態を推定し、これを基に送信パラメータを選択する。
例えば、移動機２における受信ＳＩＲが１０ｄＢ未満の場合にはＱＰＳＫ、１０ｄＢ以上の場合には８ＰＳＫとした際に、ＣＱＩが９ｄＢであった場合には、新規データならばＱＰＳＫとなるが、再送データの場合には、前回までの受信ＳＩＲを合成した値が９ｄＢであれば、９ｄＢ＋９ｄＢ＝１２ｄＢ相当の受信ＳＩＲが期待できるため、８ＰＳＫとすることも可能である。
【００４６】
実際には、合成利得が不十分な場合があるので、しきい値に一定値（オフセット）を加算して確実にデータを伝送できるようにすることが好ましい。オフセット値は、ＣＱＩの変動状況に応じて、例えば変動が大きい場合やＣＱＩの推定誤差が大きい場合には大きく、変動が小さい場合やＣＱＩの推定誤差が小さい場合には小さくするようにしても良い。
【００４７】
データを再送する際の送信パラメータによっては、送信できるデータが少なくなることがある。図３に示す例では、新規データ送信時のフレーム０では１６ＱＡＭでデータ四つ分が送信できたが、再送データ送信時のフレーム４ではＱＰＳＫでデータ二つ分しか送信できない。その場合には、１フレーム中に送信できる二つ分のデータをフレーム４において再送し、残りの二つ分のデータは次のフレームで再送する。
【００４８】
逆に、送信できるデータが多くなった場合には、再送するデータのデータ量の合計が１フレームで送信できるデータ量よりも大きければ複数の再送データを、再送データのデータ量の合計が１フレームで送信できるデータ量よりも小さければ、再送データとともに新規データを送信する。図３に示す例では、新規データ送信時のフレーム２ではＱＰＳＫで二つ分のデータを送信できたが、再送データ送信時のフレーム６では、１６ＱＡＭで四つ分のデータを送信できる。このような場合には、再送データ二つ分と新規データ二つ分とをフレーム６において送信する。
【００４９】
なお、データを再送する際には初送時のフレームでのデータ区切りに拘束されることはない。例えば、図５に示す例では、再送を行うフレーム４〜６においては、初送時のフレーム０〜３とはデータの区切りが異なっている。すなわち、初送時は、データ０〜３、４〜６、７・８という区切りであったものが、再送時には０・１、２〜５、６〜８のように区切られている。
【００５０】
また、再送時に１フレームで送信できるデータ量が初送時よりも少なくなっていると、データを再送するまでに待ち時間が生じることがある。例えば、図６に示す例では、再送時（フレーム４以降）に１フレームで伝送できるデータ量が初送時よりも少なくなっているため、データ０及びデータ１は４フレーム後に再送できているものの、他のデータは再送までにそれよりも長い時間を要している。
【００５１】
さらに、初送時の順番でデータを再送すると定められていてフレーム４〜７で再送したデータが全てＮＡＣＫであったならば、図７に示すように、フレーム８〜１１においてデータ０〜データ７の再々送を行うため、データ８〜１５を再送するまでにさらに長い時間を要することとなる。
【００５２】
データの再送の順番の定め方は任意であるが、上記の初送時の順番の他には、データの種類によって順番を決める（例えば、音声データを優先する）、データの再送待ち時間に応じて決める（例えば、再送回数の少ないデータを優先する）伝送路状況に応じて決める（前回までのＳＩＲが良かった順（又は悪かった順）、あるいは前回までと送信時の予測ＳＩＲとを考慮した結果が良い（悪い）順）などとしても良い。
【００５３】
再送データと新規データとが混在するフレームでは、再送データを基準に送信パラメータを決定しても新規データを基準に送信パラメータを決定しても良い。しかし、再送データを基準にすると新規データを正常に伝送できない可能性が生じるため、再送データのデータ量が１フレームで送信できるデータ分に達するか、再送上限時間に達するまで再送を行わないことも可能である。
【００５４】
移動機２では、再送データを受信した時には、前回までの復調結果としてメモリに蓄積しておいた復調データと受信した再送データとを受信制御部２３で合成する。これにより、復調データの信頼度を向上させる。
【００５５】
このように、本実施形態にかかる無線通信システムにおいては、再送時のＣＱＩを反映させて再送データを生成するため、換言すると、再送時に最適な再送パラメータでデータを再送するため、送受信の信頼度を大幅に向上させられる。これにより、従来の無線通信システムと比較して、データを再送する回数を大幅に低減できる。
【００５６】
〔第２の実施形態〕
本発明を好適に実施した第２の実施形態について説明する。
図８に、本実施形態にかかる無線通信システムの構成を示す。この無線通信システムは、基地局３と移動機４とを有し、基地局３から移動機４へデータが伝送される。
【００５７】
基地局３は、ＣＣＨ復調部３１、ＡＣＫ／ＮＡＣＫ判定部３２、要求コマンド復号部３３、送信制御部３４、ＤＣＨ送信部３５及びＣＣＨ送信部３６を有する。
ＣＣＨ復調部３１は、上りＣＣＨを復調する。ＡＣＫ／ＮＡＣＫ判定部３２は、上りＣＣＨの復調結果に基づいて、移動機４から送信されてきた受信状態情報がＡＣＫであるかＮＡＣＫであるかを判定する。要求コマンド復号部３３は、上りＣＣＨの復調結果から要求コマンドを復号する。送信制御部３４は、要求コマンドに従って送信データを管理すると共に、再送管理、新規・再送時のデータ分割・結合の処理を行う。ＤＣＨ送信部３５は、データを符号化及び変調して送信する。ＣＣＨ送信部３６は、制御信号を符号化及び変調して下りＣＣＨを送信する。
【００５８】
移動機４は、ＤＣＨ復調部４１、ＣＣＨ復調部４２、受信制御部４３及びＣＣＨ送信部４４を有する。
ＤＣＨ復調部４１は、データを復調する。ＣＣＨ復調部４２は、下りＣＣＨを復調する。受信制御部４３は、データ及び下りＣＣＨの復調結果に基づいて、ＤＣＨや下りＣＣＨを正しく受信できたか否かを判定・選択する処理や、要求コマンドを生成する処理や、再送時のデータ合成処理などを行う。ＣＣＨ送信部４４は、受信状態情報（ＡＣＫ又はＮＡＣＫ）や要求コマンドを含んだ情報を符号化及び変調する。
【００５９】
本実施形態にかかる無線通信システムの構成は、上記第１の実施形態とほぼ同様であるが、移動機４において現在までの受信状態を基に、基地局３から送信するデータの送信パラメータを決定し、決定したパラメータを要求コマンドとして基地局３へ伝送する点が相違する。
【００６０】
具体的には、基地局３では、送信制御部３４が通信相手である移動機４への新規データである初送データ０をフレーム０でＤＣＨ送信部３５へ送る。ＤＣＨ送信部３５は、データを符号化及び変調し、その結果をＤＣＨとして送信する。ＣＣＨ送信部３６は、送信データの順番が分かるようにフレーム番号である０やデータ番号である０のいずれか若しくは両方と移動機４での復調の際に必要となる送信パラメータ（ＤＣＨの送信データの変調方式、符号化率、拡散率、コード多重数、使用帯域及び符号化方法など）を符号化及び変調し、下りＣＣＨとして移動機４へ送信する。
【００６１】
移動機４では、ＣＣＨ復調部４２が下りＣＣＨ上の信号を復調して、順序番号や送信パラメータを取得する。ＤＣＨ復調部４１は、送信パラメータによって示された方式でＤＣＨを復調する。このとき、受信制御部４３は、順序番号や送信パラメータの情報とともに、受信データをメモリに蓄積しておく。受信制御部４３は、復調後の受信データを用いて、正常に受信できているか否かを、受信データに付加されているパリティやＣＲＣによって判定し、ＡＣＫ及びＮＡＣＫのいずれを基地局３へ返すべきかを判定・選択する。また、現在の受信状況である受信レベルや受信ＳＩＲ、受信エラー率及びこれらの変動率などから基地局３が次回のデータ送信の際に適用すべき送信パラメータを決定し、要求コマンドを生成する。ＣＣＨ送信部４４は、ＡＣＫ又はＮＡＣＫと要求コマンドとを符号化及び変調し、上りＣＣＨとして基地局３へ送信する。
【００６２】
受信状況と選択すべき送信パラメータとの関係は事前に決定しておく。例えば、受信ＳＩＲが１０ｄＢ未満の場合にはＱＰＳＫ、１０ｄＢ以上１５ｄＢ未満の場合には８ＰＳＫ、１５ｄＢ以上の場合には１６ＱＡＭを選択するように決定しておけばよい。
このしきい値は、受信ＳＩＲと受信状態（ＡＣＫ／ＮＡＣＫ状況に応じて変化させることも可能である。例えば、受信ＳＩＲ１５．５ｄＢで１６ＱＡＭを選択し、１６ＱＡＭで送信したところＮＡＣＫが続くようであれば、８ＰＳＫと１６ＱＡＭとのしきい値を１５ｄＢから１６ｄＢへ変更するようにしても良い。受信状況と選択すべき送信パラメータの関係は、変調方式以外の符号化率、拡散率、コード多重数、使用帯域、符号化方法なども含めて定める。
【００６３】
なお、現在の受信状況は次回の受信状況と異なるため、複数フレームの受信状況を補間することによりデータを送信する時間の受信状況を予測し、この予測値を使用することも可能である。さらに、受信状況が急激に変化した際には、補間するフレーム数を少なくすることにより、予測精度が向上する。補間の方法については第１の実施形態と同様であるため、重複する説明は省略する。
【００６４】
また、データ伝送が常に正常に行われるように、受信状況の変動に応じてしきい値を変えることも可能である。例えば、変動が大きい時にはしきい値を上げ、変動が小さい時にはしきい値を下げるようにすればよい。しきい値の変更の仕方については、第１の実施形態と同様であるため、重複する説明は省略する。
【００６５】
さらに、再送データを受信する時には、前回までのデータと再送データとを合成するため、新規データ比べて悪い受信状況でも正常に伝送（受信）できる。そのため、要求コマンドが反映されるフレームで再送データが送信される場合には、前回までのデータの受信状況を考慮して再送時に必要な受信状況を推定し、これを基に送信パラメータを選択することも可能である。
【００６６】
その後、基地局３では、ＣＣＨ復調部３１で上りＣＣＨを復調する。そして、ＡＣＫ／ＮＡＣＫ判定部３２は、復調後の情報に基づいて移動機４から取得した受信状態情報がＡＣＫであるかＮＡＣＫであるかを判定し、その結果を送信制御部３４へ通知する。また、要求コマンド復号部３３は、復調後のＣＣＨから要求コマンドを復号し、その結果を送信制御部３４へ通知する。送信制御部３４は、ＡＣＫ／ＮＡＣＫ判定部３２からの情報がＮＡＣＫの場合には再送すべきデータを再送待ちとし、要求コマンド復号部３３からの情報に基づいて、再送待ちデータが有り且つそのフレームで再送データしか送れない場合には再送データのみを、再送待ちデータが有り且つそのフレームで送れるデータ量が再送待ちデータ量よりも多い場合には、再送データ及び新規データを、再送待ちデータが無い場合には新規データを要求コマンドによって指定された送信パラメータで送信する。
【００６７】
このように、本実施形態にかかる無線通信システムは、再送時の受信状況を反映させた再送データを生成する、換言すると、再送時に最適な送信パラメータで再送するため、送受信の信頼度を大幅に向上させられる。これにより、従来と比較して、再送回数を大幅に低減できる。
【００６８】
なお、上記各実施形態は本発明の好適な実施の一例であり、本発明はこれらに限定されることはなく、様々な変形が可能である。
【図面の簡単な説明】
【００６９】
【図１】本発明を好適に実施した第１の実施形態にかかる無線通信システムの構成を示す図である。
【図２】第１の実施形態に係る無線通信システムの動作の流れを示す図である。
【図３】第１の実施形態にかかる無線通信システムの再送制御動作の一例を示す図である。
【図４】送信パラメータ選択テーブルの一例を示す図である。
【図５】第１の実施形態にかかる無線通信システムの再送制御動作の一例を示す図である。
【図６】第１の実施形態にかかる無線通信システムの再送制御動作の一例を示す図である。
【図７】第１の実施形態にかかる無線通信システムの再送制御動作の一例を示す図である。
【図８】本発明を好適に実施した第２の実施形態に係る無線通信システムの構成を示す図である。
【符号の説明】
【００７０】
１、３    基地局
２、４    移動機
１１、２２、３１、４２    ＣＣＨ復調部
１２、３２    ＡＣＫ／ＮＡＣＫ判定部
１３    ＣＱＩ復号部
１４、３４    送信制御部
１５、３５    ＤＣＨ送信部
１６、３６    ＣＣＨ送信部
２１、４１    ＤＣＨ復調部
２３、４３    受信制御部
２４    ＣＣＨ送信
３３    要求コマンド復号部
【図１】
2007006231.tif 000003
【図２】
2007006231.tif 000004
【図３】
2007006231.tif 000005
【図４】
2007006231.tif 000006
【図５】
2007006231.tif 000007
【図６】
2007006231.tif 000008
【図７】
2007006231.tif 000009
【図８】
2007006231.tif 000010